(57)【要約】    【課題】  本発明の課題は、洗浄水の圧力の低圧化を図るとともに洗浄水の使用水量の低減が可能である小型かつ低コストの配管洗浄装置を提供することにある。    【解決手段】  本発明に関わる配管洗浄装置１は、ノズル体３が、高圧ホース２から高圧流体ｗが供給される円筒状のカム室３ｈと、該カム室３ｈ内に配設され、カム室３ｈの内周面を摺動してカム室３ｈを画成するカム輪郭凸状部ｃ1およびブラシ４を回動するための動力伝達手段ｇ1を有し、供給される高圧流体ｗによってカム輪郭凸状部ｃ1が押圧され回動するカムｃとを具え、カムｃのカム輪郭面に当接するように付勢されカムｃの回動に伴ないカム室３ｈに入出動作し、カムｃとともにカム室３ｈを画成するプラジャ体ｐと、動力伝達手段ｇ1を介してカムｃの回動が伝達される被動力伝達手段ｇ2を有し、カムｃの回動に伴なって回動して配管内周面ｔnの汚れを掻き取る円筒状のブラシ４とを具備している。    【選択図】  図３
2006247605.tif 000002
【特許請求の範囲】
【請求項１】
高圧ホースの先端にノズル体が接続され、該ノズル体に穿設された複数の噴射孔から高圧流体を噴射させて、配管内を洗浄する配管洗浄装置であって、
前記ノズル体は、高圧ホースから高圧流体が供給される円筒状のカム室と、該カム室内に配設され、前記カム室の内周面を摺動して前記カム室を画成するカム輪郭凸状部およびブラシを回動するための動力伝達手段を有し、前記供給される高圧流体によって前記カム輪郭凸状部が押圧され回動するカムとを具え、
前記カムのカム輪郭面に当接するように付勢され前記カムの回動に伴ない前記カム室に入出動作し、前記カムとともに前記カム室を画成するプラジャ体と、
前記動力伝達手段を介して前記カムの回動が伝達される被動力伝達手段を有し、前記カムの回動に伴なって回動して配管内周面の汚れを掻き取る円筒状のブラシと
を具備することを特徴とする配管洗浄装置。
【請求項２】
前記ブラシは、前記配管内周面の汚れを掻き取るに際して接触する該配管内周面上を進行方向である前方から後方に向けて回動する
ことを特徴とする請求項１に記載の配管洗浄装置。
【請求項３】
前記複数の噴射孔は、前記配管の内周面に対して進行方向斜め前方に先浄流体を噴射する前向き噴射孔と、前記配管の内周面に対して進行方向斜め後方に先浄流体を噴射する後向き噴射孔とから成り、
前記後向き噴射孔より噴射される先浄流体の噴射力の前記配管内周面長手方向の力成分は、前記前向き噴射孔より噴射される先浄流体の噴射力の前記配管内周面長手方向の力成分より大きく設定した
ことを特徴とする請求項１または請求項２に記載の配管洗浄装置。
【請求項４】
前記後向き噴射孔より噴射される先浄流体の噴射力の前記配管内周面に対する垂直方向の力成分は、前記前向き噴射孔より噴射される先浄流体の噴射力の前記配管内周面に対する垂直方向の力成分より大きく設定した
ことを特徴とする請求項３に記載の配管洗浄装置。
【請求項５】
前記高圧ホースを回転させることにより前記配管内周面の長手方向に沿って螺旋状に旋回して洗浄を行う
ことを特徴とする請求項１から請求項４のうちの何れか一項に記載の配管洗浄装置。
【発明の詳細な説明】
【技術分野】
【０００１】
本発明は、マンション、事業用ビルなどの配管内の汚れ、付着物等の洗浄を行う配管洗浄装置に関する。
【背景技術】
【０００２】
従来、マンション等における配管設備の排管内の洗浄は、高圧ホースから供給される高圧水をノズルから排管内周面に向けて噴射し、その衝撃力をもって配管内の汚れを洗浄している。
【０００３】
この高圧ホース先端に配設されたヘッド部は、高圧水をノズル進行方向に対し斜め後方に放射状に憤出するための噴射孔が円周方向に沿って所定のピッチで複数個穿設されたノズルと、該ノズルの先端に連設された自在ガイドとから構成されている。
【０００４】
このような高圧ホースは、特許文献１、特許文献２に示されるように、回転ドラム内に収納され、この回転ドラムを回転することによって高圧ホースに対し回転を与えるようにしている。
【０００５】
一方、上述した高圧ホース先端に連設されたノズルには、特許文献３に示されるように、該ノズルから噴射される高圧水による推進力と、回転ドラムからの高圧ホースの引き出し動作によって排水管内を回転しつつ進行し、管内周面の洗浄を行っている。
【０００６】
なお、本願に係る文献公知発明としては、下記の文献が挙げられる。
【特許文献１】実開昭５５一２０３８０号
【特許文献２】実公昭４９−３７４０３号公報
【特許文献３】特開昭５４−１１０６５８号公報
【特許文献４】特開２００１−２６９６３８号公報
【特許文献５】特開２００１−２８６８４０号公報
【特許文献６】特開２００１−３００４５７号公報
【発明の開示】
【発明が解決しようとする課題】
【０００７】
ところで、上述した洗浄対象の排水管水としては大きく分けて垂直方向に配設される縦管と水平方向に配設される横管とがあるが、上述した従来の排水管洗浄装置によると、縦管内で高圧ホースを回転させ、これにより該高圧ホース先端に連結したノズルを回転させると、自重による力は縦管内周面方向には働かずノズルは縦管の内周面に沿って旋回する。
【０００８】
この状態で回転ドラムから高圧ホースを少しづつ引き出して縦管内に送り込むと、ノズルは縦管内周面に沿って螺旋状に旋回しつつ前進し、縦管の内周面に付着した固形物をノズルから噴射された高圧水により粉砕除去できる。
【０００９】
一方、排水管が横管の場合には、横管内で高圧ホ一スを回転させても、ノズルには管内底面へ向けて自重が作用するので、管内周面に沿って位置して旋回することはない。
【００１０】
そのため、排水管が横管の場合には、横管内で高圧ホースを回転させ、かつ回転ドラムから高圧ホースを少しづつ引き出して管内に送り込んでも、ノズルは自重により横管の管底に在って管底に沿って単に直線的に進行するだけで、横管内周面に沿って螺旋状に旋回することはない。  従って、横管内周面のうち特に横管上部の洗浄が充分に行えず横管上部の洗浄力が劣るという難点がある。
【００１１】
加えて、ノズルの噴射孔から噴射された高圧水の噴射圧力は、空気抵抗等により管壁から遠くなるほど低下するため、管底から遠い位置にある横管上部に付着している固形物を高圧水により粉砕することは難しく、これを粉砕するためには、より高圧、より大水量を供給する設備が必要とされ、この点においても従来のものは効率良く管内部を均一に洗浄することは不可能であった。
【００１２】
また、排管内の汚れは、高圧水の衝撃力を用いて除去するため、その洗浄に際しては、高圧水、例えば、２００ｋｇ／ｃｍ2を必要とし大型ポンプを要し、結果として装置が大型化し、高額なものとなっていた。
【００１３】
これらの問題に対処するため、出願人は、特許文献４〜特許文献６の発明により、前述の洗浄力の問題を解消し、加えて、水圧を、例えば、１２０〜１５０ｋｇ／ｃｍ2と低減し、装置の小型化し、低コスト化を図っている。
【００１４】
出願人は、さらなる洗浄水の水圧低下、装置の小型化、低コスト化を目指して、本願発明の構成を開発したものである。
【００１５】
本発明は上記実状に鑑み、洗浄水の水圧の低圧化を図るとともに、洗浄水の使用水量の低下、および装置の小型化、低コスト化を達成し得る配管洗浄装置の提供を目的とする。
【課題を解決するための手段】
【００１６】
上記目的を達成するべく、本発明の請求項１に関わる配管洗浄装置は、高圧ホースの先端にノズル体が接続され、該ノズル体に穿設された複数の噴射孔から高圧流体を噴射させて、配管内を洗浄する配管洗浄装置であって、前記ノズル体は、高圧ホースから高圧流体が供給される円筒状のカム室と、該カム室内に配設され、前記カム室の内周面を摺動して前記カム室を画成するカム輪郭凸状部およびブラシを回動するための動力伝達手段を有し、前記供給される高圧流体によって前記カム輪郭凸状部が押圧され回動するカムとを具え、前記カムのカム輪郭面に当接するように付勢され前記カムの回動に伴ない前記カム室に入出動作し、前記カムとともに前記カム室を画成するプラジャ体と、前記動力伝達手段を介して前記カムの回動が伝達される被動力伝達手段を有し、前記カムの回動に伴なって回動して配管内周面の汚れを掻き取る円筒状のブラシとを具備している。
【００１７】
本発明の請求項２に関わる配管洗浄装置は、請求項１に記載の配管洗浄装置において、前記ブラシは、前記配管内周面の汚れを掻き取るに際して接触する該配管内周面上を進行方向である前方から後方に向けて回動する。
【００１８】
本発明の請求項３に関わる配管洗浄装置は、請求項１または請求項２に記載の配管洗浄装置において、前記複数の噴射孔は、前記配管の内周面に対して進行方向斜め前方に先浄流体を噴射する前向き噴射孔と、前記配管の内周面に対して進行方向斜め後方に先浄流体を噴射する後向き噴射孔とから成り、前記後向き噴射孔より噴射される先浄流体の噴射力の前記配管内周面長手方向の力成分は、前記前向き噴射孔より噴射される先浄流体の噴射力の前記配管内周面長手方向の力成分より大きく設定している。
【００１９】
本発明の請求項４に関わる配管洗浄装置は、請求項３に記載の配管洗浄装置において、前記後向き噴射孔より噴射される先浄流体の噴射力の前記配管内周面に対する垂直方向の力成分は、前記前向き噴射孔より噴射される先浄流体の噴射力の前記配管内周面に対する垂直方向の力成分より大きく設定している。
【００２０】
本発明の請求項５に関わる配管洗浄装置は、請求項１から請求項４のうちの何れか一項に記載の配管洗浄装置において、前記高圧ホースを回転させることにより前記配管内周面の長手方向に沿って螺旋状に旋回して洗浄を行う。
【発明の効果】
【００２１】
以上、詳述した如く、本発明の請求項１に関わる配管洗浄装置によれば、供給される高圧流体によって回転駆動されるブラシにより配管内周面の洗浄が行われるので、洗浄のための高圧流体の圧力を低下させることができるとともに、高圧流体の使用量を低減できる。
【００２２】
そのため、装置の小型化が図れるとともに、低コスト化が可能となる。
【００２３】
本発明の請求項２に関わる配管洗浄装置によれば、ブラシは、前記配管内周面の汚れを前方から後方に向って掻き取るので、装置が前方へ進行するための移動力を得られる。
【００２４】
本発明の請求項３に関わる配管洗浄装置によれば、後向き噴射孔より噴射される先浄流体の噴射力の配管内周面長手方向の力成分は、前向き噴射孔より噴射される先浄流体の噴射力の配管内周面長手方向の力成分より大きく設定したので、装置が前方へ進行するための移動力が得られる。
【００２５】
本発明の請求項４に関わる配管洗浄装置によれば、後向き噴射孔より噴射される先浄流体の噴射力の配管内周面に垂直な方向の力成分は、前向き噴射孔より噴射される噴射力の配管内周面に垂直な方向の力成分より大きく設定したので、装置の前向き噴射孔側を配管内周面に近付け、ブラシを配管内周面に接触させて洗浄できる。
【００２６】
また、配管内周面に近付けた前向き噴射孔から噴射される先浄流体で、配管内周面の洗浄が強力に行える。
【００２７】
本発明の請求項５に関わる配管洗浄装置によれば、高圧ホースを回転させることにより配管内周面の長手方向に沿って装置を螺旋状に旋回して洗浄を行えるので、配管内周面全体を隈なく洗浄できる。
【発明を実施するための最良の形態】
【００２８】
以下、本発明の実施形態について添付図面を参照して説明する。
【００２９】
図１に、本発明を適用した排管洗浄装置(配管洗浄装置)１によって排管(配管)ｔの内周面ｔnを洗浄している状態を示す。
【００３０】
排管洗浄装置１は、高圧水(高圧流体)ｗを供給する例えばステンレスホースからなる高圧ホース２と、該高圧ホース２が接続され高圧水ｗを洗浄水(洗浄流体)ｓ1、ｓ2として噴射するノズル体３と、このノズル体３に供給される高圧水ｗによって回動するカムｃ(後述)に連動して矢印方向に回動して汚れを掻き取るブラシ４とを備え構成されている。
【００３１】
この排管洗浄装置１は、高圧ホース２がその長手方向に沿う軸廻りに回転されることにより、図１のＡ方向矢視図の図２に示すように、矢印の如く排管ｔ内で回転して、排管内周面ｔnの汚れをブラシ４の回動によって掻き取るとともに、噴射される洗浄水ｓ1、ｓ2、ｓ2の衝撃力によって排管ｔ内を洗浄している。
【００３２】
図３は、排管洗浄装置１の動作を示すノズル体３の一部縦断面を含む概念的側面図であり、図４は、排管洗浄装置１の分解斜視図である。
【００３３】
図３、図４に示すように、高圧ホース２は、ノズル体３に螺着されるジョイントねじ２ｎを介してノズル体３に接続されている。
【００３４】
ノズル体３は、内部に高圧水ｗが供給される空間である円筒状のカム室３ｈを有しており、カム室３ｈ内にはカム室３ｈの軸心と同軸をカム軸とするカムｃが回転自在に支持されている。
【００３５】
このカムｃにおけるカム輪郭面には、カム室３ｈの内周面に摺動するように突出されるカム輪郭凸状部ｃ1が設けられ、カム室をカム室空間３ｈ1とカム室空間３ｈ2とに画成している。
【００３６】
また、ノズル体３には、圧縮バネｓにより付勢されカムｃのカム輪郭面に圧接されるプランジャ(プランジャ体)ｐが配設されており、これらカムｃとプランジャｐとにより、カム室３ｈは、カム室空間３ｈ1と、カム室空間３ｈ2とに画成されている。
【００３７】
このカムｃには、カム軸と同心上にロータ歯車(動力伝達手段)ｇ1が固着されており、ロータ歯車ｇ1にはブラシ回転歯車(被動力伝達手段)ｇ2が噛合っており、このブラシ回転歯車ｇ2に円筒状のブラシ４が同軸上に固定されている。
【００３８】
この構成により、カムｃが図３の矢印αのように回動することにより、その動力がロータ歯車ｇ1を介してブラシ回転歯車ｇ2に伝達され、ブラシ４が矢印βのように回動して、排管内周面ｔnの汚れを掻き取る。
【００３９】
また、ブラシ４が排管内周面ｔnの汚れを掻き取るに際して、進行方向の前方から後方に向けて回動するため、排管内周面ｔnからの反力として排管洗浄装置１は進行方向である前方への推進力を得ることになる。このように、排管洗浄装置１は、ブラシ４の排管内周面ｔnに対する洗浄動作によって前方に進行する力を得ることができる。
【００４０】
また、ノズル体３には、図２、図３、図４に示すように、カム室３ｈ内から外部空間に挿通し、カム室３ｈ内の高圧水ｗを洗浄水として噴射するための噴射孔(前向き噴射孔)３ｓ1と噴射孔(後向き噴射孔)３ｓ2、３ｓ2とが穿設されており、噴射孔３ｓ1からは洗浄水ｓ1を噴射し、噴射孔３ｓ2、３ｓ2からは洗浄水ｓ2、ｓ2をそれぞれ噴射している。
【００４１】
この洗浄水ｓ1は、図１、図３に示すように、排管洗浄装置１から排管ｔの内周面ｔnに向って進行方向、斜め前方に噴射され、一方、洗浄水ｓ2は、排管洗浄装置１から排管ｔの内周面ｔnに向って進行方向、斜め後方に噴射されている。
【００４２】
図３に示すように、洗浄水ｓ1の噴射力ｆs1は、排管内周面ｔnが延在する長手方向に力成分ｆs11を有するとともに排管ｔの内周面ｔnに垂直な方向に力成分ｆs12を有しており、また、洗浄水ｓ2の噴射力ｆs2は、排管内周面ｔnが延在する長手方向に力成分ｆs21を有するとともに排管ｔの内周面ｔnに垂直な方向に力成分ｆs22を有している。
【００４３】
そのため、排管洗浄装置１は、前向きの洗浄水ｓ1の噴射力ｆs1によって排管ｔの内周面ｔnから力成分ｆs11と同じ大きさの後方向きの反力受け、また、後向きの洗浄水ｓ2の噴射力ｆs2によって排管ｔの内周面ｔnから力成分ｆs21と同じ大きさの前方向きの反力を受けることになる。
【００４４】
ここで、前方向きの洗浄水ｓ1の噴射力ｆs1の力成分ｆs11より洗浄水ｓ2、ｓ2の後方向きの噴射力ｆs2、ｆs2の力成分ｆs21、ｆs21の方が大きく設定(ｆs11＜ｆs21＋ｆs21)されているため、噴射力ｆs2の力成分ｆs21、ｆs21による反力が、噴射力ｆs1の力成分ｆs11による反力より大きく、排管ｔの内周面ｔnからトータルの反力として、排管洗浄装置１には、進行方向である前方向きの力が作用することになる。
【００４５】
そのため、排管洗浄装置１は、洗浄水ｓ1、ｓ2を噴射することにより、進行方向の前方に進む力が得られ、容易に前方に進行することができる。
【００４６】
また、排管洗浄装置１は、前向きの洗浄水ｓ1の噴射力ｆs1によって排管ｔの内周面ｔnから力成分ｆs12と同じ大きさの内周面ｔnから離間する方向の反力受け、また、後向きの洗浄水ｓ2の噴射力ｆs2によって排管ｔの内周面ｔnから力成分ｆs22と同じ大きさの内周面ｔnから離間する方向の反力を受けることになる。
【００４７】
ここで、前方向きの洗浄水ｓ1の噴射力ｆs1の力成分ｆs12より洗浄水ｓ2、ｓ2の後方向きの噴射力ｆs2、ｆs2の力成分ｆs22、ｆs22の方が大きく設定(ｆs12＜ｆs22＋ｆs22)されているため、噴射力ｆs2、ｆs2の力成分ｆs22、ｆs22による反力が噴射力ｆs1の力成分ｆs12による反力より大きく、排管ｔの内周面ｔnからのトータルの反力として、排管洗浄装置１には、噴射孔３ｓ1が配設される側が排管ｔの内周面ｔnに近付こうとする力が作用することになる。
【００４８】
こうして、排管洗浄装置１は、噴射孔３ｓ1が配設された側が排管ｔの内周面ｔnに近付いて、ブラシ４を排管ｔの内周面ｔnに当接させて洗浄を行えるので、ブラシ４による掻き取りによる洗浄が強力に行える。  また、排管ｔの内周面ｔnに近付いた噴射孔３ｓ1から噴射される洗浄水ｓ1により、排管ｔの内周面ｔnを効率的に洗浄することができる。
【００４９】
ここで、洗浄水ｓ2の噴射力ｆs2を、洗浄水ｓ1の噴射力ｆs1より大きくするためには、噴射孔３ｓ2の径を噴射孔３ｓ1の径より大きくする、噴射孔３ｓ2の数を噴射孔３ｓ1の数より多くする等の方法が用いられる。
【００５０】
図５は、排管洗浄装置１において、ノズル体３と高圧ホース２とを水平な軸心Ｊ1廻りに互いに揺動自在に接続した構成を示す一部縦断面を含む概念的側面図である。
【００５１】
このように、ノズル体３と高圧ホース２とを水平な軸心Ｊ1廻りに互いに矢印に示すように揺動自在に構成することにより、図１に示すような垂直方向に屈曲した排管ｔであっても、ノズル体３と高圧ホース２とがなす角を垂直方向に自在に変更して洗浄が行える。
【００５２】
このように、ノズル体３と高圧ホース２とを水平な軸心Ｊ1廻りに互いに揺動自在に構成することで、高圧ホース２を含む排管洗浄装置１の湾曲性を著しく向上して、排管ｔの垂直方向の屈曲部に引っ掛かることなく円滑に前方に進むことができる。
【００５３】
そのため、垂直方向に屈曲した排管ｔであっても、排管洗浄装置１によってその内面の洗浄を滞りなく行うことができる。
【００５４】
図６は、排管洗浄装置１において、ノズル体３と高圧ホース２とが垂直な軸心Ｊ2廻りに互いに揺動自在に接続した構成を示す一部断面を含む概念的上面図である。
【００５５】
このように、ノズル体３と高圧ホース２とを垂直な軸心Ｊ2廻りに互いに矢印に示すように揺動自在に構成することにより、水平方向(図１の紙面に垂直方向)に屈曲した排管ｔであっても、ノズル体３と高圧ホース２とがなす角を水平方向に自在に変更して洗浄が行える。
【００５６】
このように、ノズル体３と高圧ホース２とを垂直な軸心Ｊ2廻りに互いに揺動自在に構成することで、高圧ホース２を含む排管洗浄装置１の湾曲性を著しく向上して、排管ｔの水平方向の屈曲部に引っ掛かることなく円滑に前方に進むことができる。
【００５７】
そのため、水平方向に屈曲した排管ｔであっても、排管洗浄装置１によってその内面の洗浄を滞りなく行うことができる。
【００５８】
次に、上述した構成の排管洗浄装置１を用いて排管ｔの内周面ｔnを洗浄する工程について説明する。
【００５９】
図３に示すように、排管洗浄装置１において、高圧水ｗがポンプ(図示せず)により高圧ホース２を介してカム室３ｈ内のカム室空間３ｈ1に供給されると、カム室空間３ｈ1に供給された高圧水ｗがプランジャｐとカムｃのカム輪郭凸状部ｃ1により密閉されるため、カム室空間３ｈ1の水圧がカム室空間３ｈ２内の圧力より大きくなり、圧力差によりカムｃが図３の矢印αのように回動する。
【００６０】
この際、プランジャｐが、カム室３ｈ内に出入自在に構成されるとともに圧縮バネｓによりカムｃのカム輪郭面に圧接されているので、カム輪郭凸部ｃ1が回動してプランジャｐとの圧接部に至ったときは、プランジャｐはカム輪郭凸部ｃ1に圧接してカム室３ｈ外に移動し、カムｃはプランジャｐに妨害されることなく円滑に回動する。
【００６１】
このカムｃの回動運動は、ロータ歯車ｇ1、ブラシ回転歯車ｇ2を介してブラシ４に伝達され、ブラシ４が矢印β方向に回動して排管ｔの内周面ｔnの汚れを掻き取る洗浄が行われる。
【００６２】
このようにして、カム室３ｈ内のカムｃが、供給される高圧水ｗおよびカムｃ自体の回動運動の慣性力により継続的に回転することでブラシ４が回動して、排管ｔの内周面ｔnの洗浄が継続的に行われる。
【００６３】
しかも、ブラシ４は、排管ｔの内周面ｔnを前方から後方に向けた回動を行うため、排管洗浄装置１は前方への進行力を得て、容易に進行方向に進むことができる。
【００６４】
なお、ブラシ４の回転数は、例えば、２０００〜１００００ｒｐｍのように、高圧水ｗの水圧、噴射孔３ｓ1、３ｓ2の径等によって適宜、設定することができる。
【００６５】
また、カム室３ｈ内に、高圧ホース２を介して高圧水ｗが供給されることにより、噴射孔３ｓ1からは洗浄水ｓ1が噴射され、噴射孔３ｓ2、３ｓ2からは洗浄水ｓ2、ｓ2がそれぞれ噴射されている。
【００６６】
図３に示すように、前方向きの洗浄水ｓ1の噴射力ｆs1の内周面ｔn長手方向の力成分ｆs11より後方向きの洗浄水ｓ2、ｓ2の噴射力ｆs2、ｆs2の内周面ｔn長手方向の力成分ｆs21、ｆs21の方が大きく設定されているため、排管ｔの内周面ｔnからのトータルの反力として、排管洗浄装置１には進行方向の前方向きの力が作用する。
【００６７】
そのため、排管洗浄装置１は、ブラシ４の回動による掻き取り力と、洗浄水ｓ1、ｓ2の噴射力により、前方に進む力が得られ、進行方向に自動的に進むことも可能である。
【００６８】
なお、高圧ホース２の繰り出しを停止すれば、排管洗浄装置１の進行は停止させることができ、また、高圧ホース２の拘束を解くことにより、高圧ホース２は前方に自動的に進行することができる。
【００６９】
また、前述した如く、前方向きの洗浄水ｓ1の噴射力ｆs1の力成分ｆs12より後方向きの洗浄水ｓ2、ｓ2の噴射力ｆs2、ｆs2の力成分ｆs22、ｆs22の方が大きく設定されているため、排管ｔの内周面ｔnからのトータルの反力として、排管洗浄装置１には、噴射孔３ｓ1が配設された側が排管ｔの内周面ｔnに近付こうとする力が作用し、ブラシ４が排管ｔの内周面ｔnに接触して掻き取りが行われるとともに、噴射孔３ｓ1から噴射される洗浄水ｓ1により、排管ｔの内周面ｔnに付着した固形物の除去、錆びの除去等の汚れの洗浄が強力かつ効率的に行われる。
【００７０】
なお、噴射孔３ｓ2、３ｓ2から噴射される洗浄水ｓ2、ｓ2によっても排管ｔの内周面ｔnに付着した固形物の除去、錆びの除去等の汚れの洗浄が行われる。
【００７１】
また、排管ｔ内の洗浄においては、高圧ホース２をその長手方向に沿う軸心廻りに回転させて繰り出すため、排管洗浄装置１は、図２の矢印に示すように、排管ｔの内周面ｔnに対して軸心方向に螺旋状に回動して前方に進み、排管ｔの内周面ｔnを隈なく洗浄をすることができことになる。
【００７２】
また、図５、図６に示すように、水平な軸心Ｊ1廻りおよび垂直な軸心Ｊ2廻りにノズル体３と高圧ホース２とを揺動自在に構成すれば、湾曲性が著しく向上する。そのため、垂直方向および水平方向に屈曲した排管ｔ内も滞ることなく前方に進むことが可能で、円滑に洗浄が行える。
【００７３】
上記構成によれば、高圧ホース２から供給される高圧水ｗを利用して、ブラシ４を回動させて、排管ｔの内周面ｔnの付着物等の汚れを掻き取るので、排管ｔ内の洗浄が強力に行える。
【００７４】
そのため、洗浄水の圧力を低下させる、例えば、従来、２００ｋｇ／ｃｍ2の水圧を２０ｋｇ／ｃｍ2の水圧に低下させることが可能で、使用するポンプの小型化が図れる。
【００７５】
従って、装置の小型化が図れ、低コスト化が可能となる。例えば、従来の装置に比べ１００分の１のコストに低減できる。
【００７６】
また、ブラシ４による洗浄力の向上により洗浄水の使用量を低減できる。
【００７７】
また、洗浄水ｓ2の噴射力の垂直方向力成分を洗浄水ｓ1の噴射力の垂直方向力成分より大きく設定することにより、ブラシ４を排管ｔの内周面ｔnに当接させて洗浄を行うことができ、ブラシ４による洗浄が強力に行える。
【００７８】
また、ブラシ４の回動および洗浄水ｓ1、ｓ2の噴射により、排管洗浄装置１の前方への進行力を得ることができる。
【００７９】
従って、洗浄用流体の使用量が低減できる小型かつ低コストの配管洗浄装置が実現できる。
【００８０】
なお、上述の実施例においては、洗浄用の流体として水を用いた場合を例示して説明したが、洗浄用の流体としては、温水、塩素入り水、水と空気との混合物等、水以外の流体も洗浄用の流体として使用でき、洗浄用の流体は、適宜選択可能である。
【００８１】
また、上述の実施例においては、排管ｔ内の洗浄を例示して説明したが、配管であればマンション、事業用ビル等の排管に限定されることなく、本発明を有効に適用できる。
【産業上の利用可能性】
【００８２】
本発明の活用例として、マンション等の集合住宅、事業用ビル等の排管、食肉卸売り市場の解体した食肉の輸送管など、配管内の洗浄であれば、用途に限定されず、本発明を有効に活用できる。
【図面の簡単な説明】
【００８３】
【図１】本発明の実施例に関わる排管洗浄装置によって排管の内周面を洗浄している状態を示す概念的側面図。
【図２】図１のＡ方向矢視図。
【図３】実施例の排管洗浄装置の動作を示すノズル体廻りの一部縦断面を含む概念的側面図。
【図４】実施例の排管洗浄装置の要部の分解斜視図。
【図５】実施例の排管洗浄装置においてノズル体と高圧ホースとを水平な軸心廻りに互いに揺動自在に接続した構成を示す一部縦断面を含む概念的側面図。
【図６】実施例の排管洗浄装置においてノズル体と高圧ホースとを垂直な軸心廻りに互いに揺動自在に接続した構成を示す一部縦断面を含む概念的上面図。
【符号の説明】
【００８４】
１…排管洗浄装置(配管洗浄装置)、
２…高圧ホース、
３…ノズル体、
３ｈ…カム室、
３ｓ1…噴射孔(前向き噴射孔)、
３ｓ2…噴射孔(後向き噴射孔)、
４…ブラシ、
ｃ…カム、
ｃ1…カム輪郭凸状部、
ｆs11…力成分(前向き噴射孔より噴射される先浄流体の噴射力の配管内周面長手方向の力成分)、
ｆs12…力成分(前向き噴射孔より噴射される先浄流体の噴射力の配管内周面に対する垂直方向の力成分)、
ｆs21…力成分(後向き噴射孔より噴射される先浄流体の噴射力の配管内周面長手方向の力成分)、
ｆs22…力成分(後向き噴射孔より噴射される先浄流体の噴射力の配管内周面に対する垂直方向の力成分)、
ｇ1…ロータ歯車(動力伝達手段)、
ｇ2…ブラシ回転歯車(被動力伝達手段)、
ｐ…プランジャ(プランジャ体)、
ｓ1、ｓ2…洗浄水(洗浄流体)、
ｔ…排管(配管)、
ｔn…排管内周面、
ｗ…高圧水(高圧流体)。
【図１】
2006247605.tif 000003
【図２】
2006247605.tif 000004
【図３】
2006247605.tif 000005
【図４】
2006247605.tif 000006
【図５】
2006247605.tif 000007
【図６】
2006247605.tif 000008